【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
計算機及び管理装置と接続され、前記計算機がアクセスする記憶装置と前記記憶装置の記憶領域を制御する制御部とを備えたストレージシステムにおいて、
前記制御部は、
前記記憶装置に第１の論理デバイスを含む第１の仮想デバイスを設定し、
前記計算機がアクセスする仮想ボリュームを構成する第２の論理デバイスを含む第２の仮想デバイスを設定し、
前記第２の論理デバイスに前記第１の論理デバイスのアドレスを割り当て、
前記第２の論理デバイスと前記第１の論理デバイスとの割り当てを変更して、前記仮想ボリュームの記憶領域を変更することを特徴とするストレージシステム。
【請求項２】
前記記憶装置は、前記仮想ボリュームに関連付けるプールボリュームを備え、
前記制御部は、前記第１の論理デバイスの属性をプールボリューム属性に設定し、当該プールボリューム属性の第１の論理デバイスのアドレスを前記第２の論理デバイスのアドレスに割り当てることで、第１の論理デバイスを第２の論理デバイスに割り当てることを特徴とする請求項１に記載のストレージシステム。
【請求項３】
前記制御部は、前記第１の論理デバイスに前記プールボリュームの識別子を設定することで、前記第１の論理デバイスをプールボリューム属性に設定することを特徴とする請求項２に記載のストレージシステム。
【請求項４】
前記制御部は、さらに新たな前記第１の論理デバイスの属性を前記プールボリューム属性に設定して、前記プールボリュームの容量を拡張することを特徴とする請求項２に記載のストレージシステム。
【請求項５】
前記制御部は、前記プールボリューム属性の少なくとも一つの第１の論理ボリュームの属性を解除して、前記プールボリュームの容量を縮小することを特徴とする請求項２に記載のストレージシステム。
【請求項６】
前記制御部は、
前記プールボリューム属性の第１の論理ボリュームの属性を解除する際に、当該第１の論理ボリュームを確認し、
当該第１の論理ボリュームにデータが格納されている場合は、当該第１の論理デバイスの属性を解除しないことを特徴とする請求項２に記載のストレージシステム。
【請求項７】
前記制御部は、前記プールボリューム属性の全ての第１の論理ボリュームの属性を解除して、前記プールボリュームを解除することを特徴とする請求項２に記載のストレージシステム。
【請求項８】
前記第１の論理デバイスの識別子を含む第１の構成情報と前記第２の論理ボリュームの識別子を含む第２の構成情報とを備え、
前記制御部は、前記第１の構成情報の識別子を、前記第２の構成情報に格納することで、前記第２の論理デバイスを前記第１の論理デバイスに割り当てることを特徴とする請求項２に記載のストレージシステム。
【請求項９】
前記第１の構成情報は、前記第１の論理デバイスの識別子と、当該第１の論理デバイスのアドレスと、当該第１の論理デバイスの前後の領域の識別子とを含み、
前記第２の構成情報は、前記第２の論理デバイスの識別子と、当該第２の論理デバイスのアドレスとを含むことを特徴とする請求項８に記載のストレージシステム。
【請求項１０】
前記制御部は、前記仮想ボリュームと、当該仮想ボリュームにアクセスする計算機との接続ポート番号と、経路の情報とを対応付けて、当該仮想ボリュームを前記計算機がアクセス可能に設定する特徴とする請求項２に記載のストレージシステム。
【請求項１１】
前記制御部は、
前記計算機からデータの読み出し要求を受信したときに、読み出し要求に係るアドレスに対応する論理デバイスの種類を特定し、
特定した論理デバイスが第２の論理デバイスであった場合は、当該第２の論理デバイスに割り当てられている第１の論理デバイスを特定し、
特定した第１の論理デバイスから、読み出し要求に係るデータを読み出すことを特徴とする請求項２に記載のストレージシステム。
【請求項１２】
前記制御部は、
前記計算機からデータの書き込み要求を受信したときに、書き込み要求に係るアドレスに対応する論理デバイスの種類を特定し、
特定した論理デバイスが第２の論理デバイスであった場合は、当該第２の論理デバイスに割り当てられている第１の論理デバイスを特定し、
特定した第１の論理デバイスに、書き込み要求に係るデータを書き込むことを特徴とする請求項２に記載のストレージシステム。
【請求項１３】
前記制御部は、
前記計算機からデータの書き込み要求を受信したときに、書き込み要求に係るアドレスに対応する論理デバイスの種類を特定し、
特定した論理デバイスが第２の論理デバイスであった場合に、当該第２の論理デバイスに前記第１の論理デバイスが割り当てられていない場合は、当該第２の論理デバイスに前記プールボリューム属性の第１の論理デバイスを割り当てることを特徴とする請求項２に記載のストレージシステム。
【請求項１４】
前記制御部は、
前記計算機からの要求を受信したときに、要求に係るアドレスに対応する論理デバイスの種類を特定し、
特定した論理デバイスがプールボリューム属性の第１の論理デバイスであった場合は、当該要求を拒否することを特徴とする請求項２に記載のストレージシステム。
【請求項１５】
前記制御部は、
前記記憶装置の障害を検出したときに、
当該記憶装置を含む第１の仮想デバイスを閉塞し、
当該第１の仮想デバイスに含まれる第１の論理デバイスを閉塞し、
当該第１の論理デバイスがプールボリューム属性である場合に、当該プールボリュームを閉塞することを特徴とする請求項２に記載のストレージシステム。
【請求項１６】
前記制御部は、
電源切断時に、前記プールボリューム属性の第１の論理デバイスにストレージシステムの管理情報を格納し、
電源再開時に、前記格納された管理情報を読み出してストレージシステムを起動することを特徴とする請求項２に記載のストレージシステム。
【請求項１７】
前記制御部は、
電源切断時に、前記プールボリューム属性の第１の論理デバイスのうち、データが格納されていない第１の論理デバイスを取得し、取得した当該第１の論理デバイスにストレージシステムの管理情報を格納し、
電源再開時に、前記格納された管理情報を読み出してストレージシステムを起動することを特徴とする請求項２に記載のストレージシステム。
【請求項１８】
計算機及び管理装置と接続され、前記計算機がアクセスする記憶装置と前記記憶装置の記憶領域を制御する制御部とを備えたストレージシステムの構成変更方法であって、
前記記憶装置に第１の論理デバイスを含む第１の仮想デバイスを設定する第１のステップと、
前記計算機がアクセスする仮想ボリュームを構成する第２の論理デバイスを含む第２の仮想デバイスを設定する第２のステップと、
前記第２の論理デバイスに前記第１の論理デバイスのアドレスを割り当てる第３のステップと、
前記第２の論理デバイスと前記第１の論理デバイスとの割り当てを変更して、前記仮想ボリュームの記憶領域を変更する第４のステップと、
を備えることを特徴とする構成変更方法。
【請求項１９】
前記記憶装置は、前記仮想ボリュームに関連付けるプールボリュームを備え、
前記第３のステップは、前記第１の論理デバイスの属性をプールボリューム属性に設定し、当該プールボリューム属性の第１の論理デバイスのアドレスを前記第２の論理デバイスのアドレスに割り当てることで、第１の論理デバイスを第２の論理デバイスに割り当てる第５のステップを備えることを特徴とする請求項１８に記載の構成変更方法。